(57)【特許請求の範囲】
【請求項１】
先端部が上下方向に移動自在な押え腕と、該押え腕の先端部に押え足を介して取り付けられた布押えとを備え、該布押えにボタン穴かがり縫いに際しての布送り方向に沿って長く形成され、かつ、ボタン穴かがり縫いに際して針が上下動するための貫通長孔が設けられたボタン穴かがりミシンの布押え装置において、
上記布押えが、上記貫通長孔の部分で該貫通長孔の長手方向に沿った布送り方向に対して前後に少なくとも二つの布押え分割体に分割された構成とされ、かつ、上記布押え分割体が互いに相対的に上下動自在とされるとともに、上記分割体がそれぞれ独立して被縫製物を下方に押圧可能とされ、
上記布押えの前側の布押え分割体の後側部分と、後側の布押え分割体の前側部分とが、上記貫通長孔の部分で、左右に重複するように設けられていることを特徴とするボタン穴かがりミシンの布押え装置。
【請求項２】
先端部が上下方向に移動自在な押え腕と、該押え腕の先端部に押え足を介して取り付けられた布押えとを備え、該布押えにボタン穴かがり縫いに際しての布送り方向に沿って長く形成され、かつ、ボタン穴かがり縫いに際して針が上下動するための貫通長孔が設けられたボタン穴かがりミシンの布押え装置において、
上記布押えが、上記貫通長孔の部分で該貫通長孔の長手方向に沿った布送り方向に対して前後に少なくとも二つの布押え分割体に分割された構成とされ、かつ、上記布押え分割体が互いに相対的に上下動自在とされるとともに、上記分割体がそれぞれ独立して被縫製物を下方に押圧可能とされ、
少なくとも二つの前記布押え分割体のうちの一方の布押え分割体が他方の布押え分割体に対して上下動自在とされるとともに、一方の布押え分割体が常時下方に付勢されていることを特徴とするボタン穴かがりミシンの布押え装置。
【請求項３】
請求項１記載のボタン穴かがりミシンの布押え装置において、少なくとも二つの前記布押え分割体のうちの一方の布押え分割体が他方の布押え分割体に対して上下動自在とされるとともに、一方の布押え分割体が常時下方に付勢されていることを特徴とするボタン穴かがりミシンの布押え装置。
【請求項４】
請求項２または３記載のボタン穴かがりミシンの布押え装置において、上記押え腕の先端部に一方の布押え分割体を上下動自在に設けるとともに、他方の布押え分割体を揺動自在に設けることを特徴とするボタン穴かがりミシンの布押え装置。
【請求項５】
請求項２から４の何れか一項に記載のボタン穴かがりミシンの布押え装置において、
被縫製物を押えた状態から上記布押えを上昇させる際に、他方の布押え分割体に対して上下動自在とされるとともに下方に付勢された一方の布押え分割体を、他方の分割体の高さ位置に対応させるように上昇させる上昇手段が備えられたことを特徴とするボタン穴かがりミシンの布押え装置。
【発明の詳細な説明】
【０００１】
【発明の属する技術分野】
本発明は、段部を有する被縫製物を確実に押圧することができるボタン穴かがりミシンの布押え装置に関するものである。
【０００２】
【従来の技術】
従来、ミシンは、被縫製物を押さえてその布を安定して縫製するための布押え装置を有する。
【０００３】
図１０は、従来のボタン穴かがりミシンの布押え装置の主な部分を示す図面である。図１０に示すように、ボタン穴かがりミシン（図示略）の布押え装置には、押え腕９と、押え腕９の先端部９ｂに取り付けられた押え足１０３と、押え足１０３に取り付けられた布押え１０８とが備えられている。
また、布押え装置には、押え足１０３を介して布押え１０８が取り付けられた押え腕９を布送り板１０６とともに布送り方向に沿って移動させるための水平方向駆動手段１０１と、上記押え腕９の布押え１０８が取り付けられる先端部９ｂを、布を押さえるように下方に押圧するとともに、布をセットする際に布押え１０８を上方に上げる上下方向駆動手段１０９とが備えられている。
【０００４】
上記押え腕９は支持端９ａにおいて支持軸１０２により駆動手段１０１を構成する部材に回動自在に取り付けられている。押え腕９の先端部９ｂの側面には、段ねじ３により押え足１０３が段ねじ３を中心に鉛直面内で回動自在に支持されている。この押え足１０３は押え腕９から下方へ突出するように脚部１０３ａ、１０３ａを有し、これらの脚部１０３ａ、１０３ａの下方に図示しない球状ピンが固着され、また脚部１０３ａの下端部と球状ピンとの間には板ばね１０４が挟まれた状態にて取り付けられており、さらに、この板ばね１０４に止めねじ１０５を介して布押え１０８が固定されている。
この布押え１０８は被縫製物を押さえるものであり、この布押え１０８は針の貫通孔を有している。
【０００５】
上述の構成による従来のボタン穴かがりミシンの布押え装置では、布押え１０８を下降させて、この布押え１０８と布送り板１０６との間に、被縫製物を押圧把持した状態で、針を上下動することによりボタン穴かがり縫いを行う。
また、上述のように布押え１０８は、段ねじ３により前端部及び後端部が上下動するように回動移動する押え足１０３を介して押え腕９の先端部９ｂに固定され、さらに、押え足１０３に板ばね１０４を介して取り付けられているので、前後左右に揺動可能な状態となっている。
【０００６】
以上のように布押え１０８が揺動自在となっていることにより、図１１に示すように、被縫製物（布２０１、布２０２）のボタン穴かがり縫いを行う部分の近傍に布２０１、２０２が重ねられることによる段部があり、該段部の上段側に布押え１０８の一部が乗り上げた場合には、揺動自在な布押え１０８が斜めに傾くようになっている。これにより、布押え１０８の一部が段部の上段側に乗り上げても、布押え１０８が傾いて、ボタン穴かがり縫いが行われる被縫製物の下段側を押さえられるようになっていた。
【０００７】
【発明が解決しようとする課題】
しかしながら、従来の布押え装置において、上述のように被縫製物に段部がある場合に、布押え１０８は、図１１に示すように斜めに傾斜した状態で、被縫製物（布２０１、布２０２）を押さえているので、傾斜した布押え１０８の下方において、布２０１のＡ部（すなわち、段部の上段部の布押え１０８に強く接触した部分と、下段部の布押え１０８に強く接触した部分との間）を強く押圧把持することができない。そのため、ボタン穴かがり縫いをすると目飛びや糸切れなどが生じることがあった。
【０００８】
そこで、本発明の目的は、段部を有する被縫製物であっても安定的かつ確実に押圧把持することができるとともに見栄えの良い被縫製物を縫製することができるボタン穴かがりミシンの押え装置を提供することにある。
【０００９】
【課題を解決するための手段】
以上の課題を解決すべく請求項１記載の発明は、例えば、図１に示すように、
先端部が上下方向に移動自在な押え腕（９）と、該押え腕の先端部に押え足（例えば、第一の押え足２、第二の押え足１３）を介して取り付けられた布押えとを備え、該布押えにボタン穴かがり縫いに際しての布送り方向に沿って長く形成され、かつ、ボタン穴かがり縫いに際して針が上下動するための貫通長孔が設けられたボタン穴かがりミシンの布押え装置において、
上記布押えが、上記貫通長孔の部分で該貫通長孔の長手方向に沿った布送り方向に対して前後に少なくとも二つの布押え分割体（例えば、第一の布押え８、第二の布押え２８）に分割された構成とされ、かつ、上記布押え分割体が互いに相対的に上下動自在とされるとともに、上記分割体がそれぞれ独立して被縫製物を下方に押圧可能とされ、
上記布押えの前側の布押え分割体の後側部分（例えば、突出部８ｂ、８ｃ）と、後側の布押え分割体の前側部分（例えば、突出部２８ｂ、２８ｃ）とが、上記貫通長孔の部分で、左右に重複するように設けられていることを特徴としている。
【００１０】
以上のように、請求項１記載の発明によれば、上記布押え分割体が互いに相対的に上下動自在とされるとともに、上記分割体がそれぞれ独立して被縫製物を下方に押圧するため、ボタン穴かがり縫い位置の近傍に段部を有する被縫製物であっても、一方の布押え分割体が段部の上段部（段部の上側）を押圧し、他方の布押え分割体が段部の下段部（段部の下側で縫製が行われる部分）を別々に押圧することができ、または、一方の布押え分割体が段部の下段部を押圧し、他方の布押え分割体が段部の上段部を別々に押圧することができる。したがって、段部を有する被縫製物を段部に対応して確実に保持することができる。
布送り方向の前側の布押え分割体と、後側の布押え分割体とが左右に重複するように設けられているため、段部を有する被縫製物であっても、左右の重複部によって、段差のより近傍を押圧することができる。
例えば、前側の布押え分割体の前部が段部の上段部に乗り上げ、後側の布押え分割体が段部の下段部を押さえる状態となった場合に、段部の上段部と下段部との境目となる段差に対して、前側の布押え分割体と後側の布押え分割体との境目が離れていると、これらの間の部分（段部の下段部の段差の近傍の部分）が十分に布押えにより押さえられていない状態となる。しかし、上述のように、後側の布押え分割体の前部の一部が前側の布押え分割体と重複するように前方に突出していれば（すなわち、後側の布押え分割体の前部の一部が、前側の布押え分割体の後端より前に突出していれば）、後側の布押え分割体の前部の前方に突出した部分が、段部の下段部の段差の近傍の部分を押さえることができる。したがって、段部の近傍において、ボタン穴かがり縫いを行う場合に、布押えにより、より確実に被縫製物を強く押さえることができる。なお、被縫製物の段部が逆転する場合があるが、上述の記載において前と後とを入れ替えても良く、上述の作用効果は、前後を逆にした場合も同様である。
【００１１】
なお、上記布押え分割体が互いに相対的に上下動自在とは、例えば、上記布押え分割体の一方の分割体が押え腕（もしくは押え足）側に固定されており、他方の分割体が押え腕（もしくは押え足）側に上下動自在に取り付けられていても良いし、又は、他方の分割体が押え腕側に固定され、一方の分割体が押え腕側に上下動自在に取り付けられても良いし、又は、すべての分割体が押え腕側に対して上下動自在に取り付けられていても良い。
【００１２】
請求項２記載の発明は、例えば、図１に示すように、
先端部が上下方向に移動自在な押え腕（９）と、該押え腕の先端部に押え足（例えば、第一の押え足２、第二の押え足１３）を介して取り付けられた布押えとを備え、該布押えにボタン穴かがり縫いに際しての布送り方向に沿って長く形成され、かつ、ボタン穴かがり縫いに際して針が上下動するための貫通長孔が設けられたボタン穴かがりミシンの布押え装置において、
上記布押えが、上記貫通長孔の部分で該貫通長孔の長手方向に沿った布送り方向に対して前後に少なくとも二つの布押え分割体（例えば、第一の布押え８、第二の布押え２８）に分割された構成とされ、かつ、上記布押え分割体が互いに相対的に上下動自在とされるとともに、上記分割体がそれぞれ独立して被縫製物を下方に押圧可能とされ、
少なくとも二つの前記布押え分割体のうちの一方の布押え分割体（例えば、第二の布押え２８）が他方の布押え分割体（例えば、第一の布押え８）に対して上下動自在とされるとともに、一方の布押え分割体が常時下方に付勢されていることを特徴としている。
【００１４】
請求項３記載の発明は、
請求項１記載のボタン穴かがりミシンの布押え装置であって、少なくとも二つの前記布押え分割体のうちの一方の布押え分割体（例えば、第二の布押え２８）が他方の布押え分割体（例えば、第一の布押え８）に対して上下動自在とされるとともに、一方の布押え分割体が常時下方に付勢されていることを特徴としている。
【００１５】
以上のように、請求項２、３記載の発明によれば、一方の布押え分割体を他方の布押え分割体に対して上下動自在とすることにより、二つの布押え分割体を、両方とも、押え腕もしくは押え足に対して上下動自在としなくとも、布押え分割体同士を互いに相対的に上下動自在とすることができる。すなわち、より簡単な構成で、布押え分割体同士を互いに相対的に上下動自在とすることができる。
また、他方の布押え分割体に対して上下動自在な一方の布押え分割体を常時下方に付勢された状態としているので、例えば、押え腕の動作により他方の布押え分割体が被縫製物の段部の上段部を下方に押圧した状態で、一方の布押え分割体が段部の下段部上に配置された場合に、下方に付勢され、かつ、一方の布押えに対して上下動自在な一方の布押え分割体が上述の付勢力により下方に移動して段部の下段部を下方に押圧することになる。
また、逆に、押え腕の動作により一方の布押え分割体が被縫製物の段部の上段部を下方に押圧した状態となり、他方の布押え分割体が段部の下段部上に配置された場合に、他方の布押えは、押え腕の動作に基づいて段部の下段部に当接するまで被縫製物の段部の下段部を押え、この際に、下方に付勢されるとともに、他方の布押えに対して上下動自在な一方の布押え分割体は、段部の上段部に乗り上げることで、他方の布押えより上の位置に止められた状態となり、この状態で、被縫製物の段部の上段部を押え腕の動作と上述の付勢力とにより押圧することになる。
これにより、上下動自在な一方の布押え分割体だけを常時下方に付勢された構成とするだけで、両方の布押え分割体がそれぞれ独立して被縫製物を押圧可能な構成とすることができる。従って、極めて簡単な構成で請求項１記載の構成と同様の優れた作用効果を奏することができる。
【００１６】
請求項４記載の発明は、
請求項２または３記載のボタン穴かがりミシンの布押え装置であって、上記押え腕の先端部に一方の布押え分割体を上下動自在に設けるとともに、他方の布押え分割体を揺動自在に設けることを特徴としている。
【００１７】
以上のように、請求項４記載の発明によれば、他方の布押え分割体が揺動自在に設けられているため、段部を有する被縫製物を押圧する際、他方の布押え分割体の一部が段部の上段部を押圧した場合に、布押え分割体が段部の上段部から下段部に傾斜して被縫製物の段部に合致してこの被縫製物を確実に押圧することができる。
したがって、他方の布押え分割体の一部が段部の上段部に乗り上げた状態となった場合に、他方の揺動自在な布押え分割体が斜めになって、段部の上段部と下段部とを押え、一方の上下動自在な分割体が下方に突出して被縫製物の段部の下段部側を押さえることになる。したがって、ボタン穴かがり縫いが行われる被縫製物の段部の下段部側が両方の布押え分割体により押さえられることになり、より確実に段部を有する被縫製物を押さえることができる。
【００１８】
請求項５記載の発明は、
請求項２から４の何れか一項に記載のボタン穴かがりミシンの布押え装置であって、
被縫製物を押えた状態から上記布押えを上昇させる際に、他方の布押え分割体に対して上下動自在とされるとともに下方に付勢された一方の布押え分割体を、他方の分割体の高さ位置に対応させるように上昇させる上昇手段が備えられたことを特徴としている。
【００１９】
以上のように、請求項５記載の発明によれば、押え腕の先端部を上昇させ、被縫製物を押圧状態から解除した際、布押え全体が上昇することにより、一方の布押え分割体が被縫製物を押圧した状態から上方に移動することになるが、この際に、上下動自在な一方の布押え分割体が下方に付勢されていることから、他方の布押え分割体に対して一方の布押え分割体が下方に突出した状態となってしまうのを上記上昇手段により防止することができる。すなわち、押え腕の先端部を上昇させ、被縫製物を押圧状態から解除した際に、下方に突出しようとする一方の布押え分割体が上記上昇手段により上昇させられるため、一方の布押え分割体が他方の布押えより下方に突出することがなくなる。
これにより、布押えを上昇させた際に、一方の布押え分割体が下方に突出して、被縫製物の交換等の作業の邪魔になるのを防止することができる。
【００２０】
【発明の実施の形態】
以下に、本発明に係るボタン穴かがりミシンの布押え装置の実施の形態を図１から図９に基づいて説明する。なお、前述した従来のボタン穴かがりミシンの布押え装置と同一構成部分については同一の符号を付して説明の一部を省略する。
【００２１】
図１から図４は、本発明に係るボタン穴かがりミシンの布押え装置の実施の一形態を示した図である。なお、図４は図１のＺ−Ｚ’断面の断面図である。また、図１、図２においては、図面の左方が本装置の前方とし、図面の右方が本装置の後方とする。
これらの図において、符号２は第一の押え足、８は第一の布押え、９は押え腕、１０は上糸切り装置、１２は押えローラ、１３は第二の押え足、１８は押え足ばね、１９はレバー、２１は引張ばね、２２は押上カム板、２８は第二の布押えである。
なお、押え腕９は、基本的に従来と同様の構成を有するものであり、図示しない、従来と同様の水平方向駆動手段（図示略）により布送り方向に沿って移動可能とされるとともに、従来と同様の上下方向駆動手段（押えローラ１２及びローラ取付台２７だけを図示）により、被縫製物を押さえるために下方に付勢され、かつ、被縫製物の交換等の際に上方に引き上げられるようになっている。
【００２２】
そして、この例のミシンの布押え装置は、押え腕９と、該押え腕９に取り付けられる第一の押え足２を介して押え腕９に揺動自在に取り付けられる第一の布押え８と、第二の押え足１３を介して押え腕９に上下動自在に取り付けられる第二の布押え２８と、後述するように上下動自在で下方に付勢された第二の布押え２８を上昇させる上昇手段となるレバー１９、引張ばね２１及び押上カム板２２とを備えたものである。また、第一の布押え８と第二の布押え２８とがいわゆるミシンの布押えとして機能する部分であり、第一の布押え８と第二の布押え２８とが、それぞれ従来の一つの布押えを二つに分割した分割体となっている。
【００２３】
ボタン穴かがりミシンの布押え装置の押え腕９は、従来と同様に、ボタン穴かがりミシン本体（図示略）に連結されており、押え腕９は連結部を中心に回動可能であり、これにより、押え腕９の先端部９ｂは上下動することが可能になる。
【００２４】
そして、押え腕９の先端部９ｂは、ほぼ直方体形状をしており、先端部９ｂの一側面に第一の押え足２が配設されている。また、第一の押え足２の後方に隣接するように第二の押え足１３が配設され、さらに、第二の押え足１３の後方にレバー１９が配設されている。そして、第一の押え足２には第一の布押え８が連結されており、第二の押え足１３には第二の布押え２８が連結されている。そして、第一の布押え８の上側には、周知の上糸切り装置１０が備えられている。この上糸切り装置１０は、可動刃（図示略）、固定刃（図示略）、糸寄せ部材（図示略）などから構成されており、被縫製物の縫製終了後、糸寄せ部材及び可動刃が回動して上糸を固定刃に案内し、可動刃の刃部と固定刃の刃部とにより上糸、芯紐等を切断するようになっている。
【００２５】
また、押え腕９の先端部９ｂの上部側に押え腕９の延在方向に沿って溝部９ｃが延在するとともに、係合部材（図示略）が配設されており、この溝部９ｃに上述の上下方向駆動手段の一部である押えローラ１２が当接しつつ、係合部材に係合している。押えローラ１２はローラ取付台２７を介して上下方向駆動手段の図示しない上下動する上下動部材に取り付けられており、上下動部材が下方に駆動した際、溝部９ｃに押えローラ１２が上方から圧接し、この押えローラ１２により押え腕９の先端部９ｂを下降させ、上下動部材が上方に駆動した際には、押えローラ１２が係合部材に係合していることにより、押え腕９の先端部９ｂが上昇する。
【００２６】
次に、第一の押え足２及び第一の布押え８について説明する。図１に示すように、第一の押え足２は段ねじ３を介して押え腕９に取り付けられており、押え腕９の延在方向に沿ったほぼ垂直な面内で回動自在である。また、押え腕９の側部に係合ねじ４が取り付けられており、この係合ねじ４は第一の押え足２の係合孔２ａと遊びを有しつつ係合している。すなわち、この係合孔２ａの径は係合ねじ４の径より大きくなっており、第一の押え足２は係合ねじ４と係合孔２ａとが当接するまでの範囲内において揺動自在となっている。また、段ねじ３と係合孔２ａとのほぼ中間部にコイルばね１１が圧入され、コイルばね１１の他端は押え腕９の側部の穴に嵌合されており、第一の押え足２に負荷がかかっていない場合に、第一の押え足２に取り付けられた第一の布押え８が水平になるようにされている。また、被縫製物上の段部等に第一の布押え８が乗り上げた状態で押え腕９の先端部９ｂが下げられた場合のように負荷がかかった場合には、図７に示すように、第一の布押え８が被縫製物の上面の形状に対応して前後に斜めになるようになっている。
【００２７】
また、図１に示すように、第一の押え足２は押え腕９の先端部９ｂから下方に突出する二つの脚部２ｂ、２ｂを有している。そして、図３に示すように、これら脚部２ｂのうちの前側の脚部２ｂに、取付ねじ５、５を介して第一の布押え８が取り付けられている。以上のように、第一の押え足２が揺動自在であり、第一の布押え８が第一の押え足２に取り付けられているため、第一の布押え８は揺動自在である。
【００２８】
次に、第二の押え足１３と第二の布押え２８について説明する。図１に示すように、第一の押え足２の後方に隣接して、第二の押え足１３が配設されている。この第二の押え足１３は上下方向に長い長孔を有し、そして、第二の押え足１３は案内板１４を介して押え腕９に配設されている。この案内板１４は第二の押え足１３を上下方向に移動するためのガイドであり、案内板１４は案内板止めねじ１６により押え腕９に固定されている。また、第二の押え足１３は案内板１４と取付部材１５との間に挟設されており、この取付部材１５は取付部材止めねじ１７、１７により案内板１４に固定されている。そして、取付部材１５は、上下方向に長い凸部を有しており、前記凸部は押え足１３の長孔に嵌挿されている。そして、取付部材１５の凸部と第二の押え足１３の長孔とが当接するまでの範囲内において、第二の押え足１３は上下動可能である。また、第二の押え足１３と取付部材１５との間には押え足ばね１８が介設されており、この押え足ばね１８により、第二の押え足１３が下方に付勢されている。
【００２９】
そして、図４に示すように、第二の押え足１３の下端は平面形状をしており、第二の押え足１３の下端部に、取付ねじ２４、２４を介して第二の布押え２８がほぼ水平状態に取り付けられている。
【００３０】
次に、第二の押え足１３を上昇する上昇手段について説明する。上昇手段はレバー１９、カムフォロアー１９ｃ、引張ばね２１、押上カム板２２等から構成されている。そして、第二の押え足１３の後方において、レバー１９が押え腕９に設けられた案内板１４に、段ねじ２０により揺動自在に取り付けられている。このレバー１９は一端に爪１９ｂを有し、もう一端にローラなどのカムフォロアー１９ｃが配設されている。そして、このレバー１９は側部に突出する突出ピン１９ａを有し、この突出ピン１９ａに引張ばね２１の一方の端部が係止されている。この引張ばね２１のもう一方の端部は、案内板１４の側方に突出する突出ピン１４ａに係止されている。この引張ばね２１により、爪１９ｂが下降しないようにしており、これにより、レバー１９の初期の位置決めをしている。また、レバー１９の爪１９ｂは、第二の押え足１３の側方に形成された切欠部１３ａに係止されている。すなわち、引張ばね２１がレバー１９を介して第二の押え足１３を上方へ負荷している。なお、引張ばね２１の負荷力は、押え足ばね１８の負荷力より小さくなっており、押え足１３は総合的に下方に付勢されていることになる。
【００３１】
レバー１９のほぼ上方に所定の距離を離して、押上カム板２２がカム取付板２３を介してミシン本体に固定されているとともに、押え腕９の先端部９ｂが上下方向駆動手段により上昇する際に、カムフォロアー１９ｃが押上カム板２２に当接するような位置にカムフォロアー１９ｃが配設されている。すなわち、押上カム板２２は固定節として、レバー１９は従動節として、また、カムフォロアー１９ｃは接触子として働くカム機構となっており、押え腕９が上昇した場合、カムフォロアー１９ｃが押上カム板２２に当接しつつ、押上カム板２２の縁に沿って移動し、これにより、レバー１９はカムフォロアー１９ｃに従動する。そして、爪１９ｂが第二の押え足１３の切欠部１３ａに係止しているため、第二の押え足１３が上昇する。これにより、押え足１３が押え足ばね１８により下方に付勢されていても、押え腕９の先端部９ｂの上昇に連動して、レバー１９により第二の押え足１３が上昇する。したがって、第二の布押え２８を第一の布押え８の高さの位置に対応させるように上昇させることができる。なお、カムフォロアー１９ｃは押上カム板２２に当接後、押上カム板２２の縁に沿って当接しつつ移動するため、回転可能であることが望ましい。
【００３２】
次に、第一の布押え８と第二の布押え２８の形状について詳細に説明する。第一の布押え８及び第二の布押え２８は、下面がほぼ平坦に形成されている。なお、第一の布押え８はその下面に凹凸が連続して形成されている押え部８ａを有しており、第二の布押え２８も下面に凹凸が連続して形成されている押え部２８ａを有している。
また、図５に示すように、第一の布押え８は布送り方向に対して前側に、第二の布押え２８は布送り方向に対して後側に位置している。
【００３３】
また、第一の布押え８と第二の布押え２８とをその使用状態となるように前後に近接して並べた状態、すなわち、一つの布押えとなるように配置した状態では、第一の布押え８から第二の布押え２８に至るように、針が上下動するための空間となる貫通長孔が形成された状態となる。すなわち、前側の第一の布押え８には、後方側に向かって開放されたほぼ矩形状の切欠部が形成され、後側の第二の布押え２８には、前方側に向かって開放されたほぼ矩形上切欠部が形成されている。そして、これら二つの切欠部を合わせることで、貫通長孔が形成されるようになっている。
【００３４】
また、第一の布押え８は、後方に突出する突出部８ｂを左後方（切欠部の左側）に備え、後方に突出する突出部８ｃ（切欠部の右側）を右後方に備える。なお、突出部８ｃの方が突出部８ｂより後方に突出している。また、第二の布押え２８は前方に突出する突出部２８ｂを左前方（切欠部の左側）に備え、前方に突出する突出部２８ｃを右前方（切欠部の右側）に備えている。なお、突出部２８ｂの方が突出部２８ｃより前方に突出している。そして、第一の布押え８の突出部８ｂと第二の布押え２８の突出部２８ｂとが、貫通長孔の左側において左右に重複するように配置されている。また、第一の布押え８の突出部８ｃと第二の布押え２８の突出部２８ｃとが貫通長孔の右側で左右に重複するように配置されている。
【００３５】
なお、上記の第一の布押え８と第二の布押え２８との下方には布送り板（図示略）が配設されており、この布送り板と上記の布押え装置とにより被縫製物を挟持することができる。そして、貫通長孔の上方に布切りメス（図示略）が配設されており、布送り板と布押え装置とにより挟持された被縫製物に、布切りメスによりボタン穴を切り込むことができる。
【００３６】
次に、上記の構成を有するボタン穴かがりミシンの布押え装置の動作について説明する。
ここで、まず、基本的な動作として被縫製物１００が段部を有しない場合についての布押え装置の動作について説明する。
すなわち、押え腕９の先端部９ｂが下降することにより被縫製物１００を押圧した際、第一の布押え８の下面（押え部８ａ）と第二の布押え２８の下面（押え部２８ａ）とが、平面状の被縫製物に当接することになるので、第一の布押え８に対して第二の布押え２８が上下動可能となっていても、図１に示すように、第一の布押え８と第二の布押え２８との下面が揃った状態で被縫製物を押さえることになる。これにより、第一及び第二の布押え８、２８は、被縫製物１００を押えローラ１２の上方からの圧力により安定的に、かつ、確実に押圧把持することができる。
【００３７】
次に、図６に示すように、被縫製物１００が第一の布押え８側（前側）に段部を有する場合に、上記のボタン穴かがりの布押え装置の動作を説明する。なお、ここでは、上述のように揺動可能な第一の布押え８が揺動しないもの（例えば、第一の押え足２が押え腕９に剛結合されているものとする）として動作を説明する。
押え腕９の先端部９ｂが下降することにより、第一の布押え８が段部の上段部（段部の上側）を押圧する。この際、第二の布押え８が上下動自在、かつ、下方に付勢されているため、第二の布押え８は下方に突出して、被縫製物１００の下段部を押圧することができる。すなわち、布押えが第一の布押え８と第二の布押え２８とに分割しているとともに、第二の布押え２８は上下動可能であり、かつ、押え足ばね１８により常時下方に付勢しているため、第一の布押え８が段部の上段部を押圧した場合でも、第二の布押え２８が下方に突出して段部の下段部を押圧することができる。これにより、被縫製物１００を安定的に、確実に押圧把持することができる。
【００３８】
また、図６に示すように、第一の布押え８が揺動しないものとすると、第一の布押え８の前部が段部の上段部に乗り上げた状態となった場合に、第一の布押え８の後部が段部の下段部上（段差の近傍上）に浮いた状態となってしまい、段差の近傍を押さえられない。しかし、第二の布押え２８の前部の突出部２８ｂ（２８ｃ）が第一の布押え８の後部の突出部８ｂ（８ｃ）と左右に重複しているため、第二の布押え２８の突出部２８ｂ（２８ｃ）が、段部の下段部の段差の近傍の部分を押さえることができる。したがって、段部の近傍において、ボタン穴かがり縫いを行う場合に、布押えにより、より確実に被縫製物を強く押さえることができる。
【００３９】
次に、図７に示すように、図６に示された状況と同じ状況で、第一の布押え８を押え腕９に対して揺動自在に動けるものとした場合には、以下のように動作することになる。
すなわち、第一の布押え８が押え腕９に対して揺動自在に設けられているため、段部を有する被縫製物１００を押圧する際、第一の布押え８の前部が段部の上段部を押圧した場合に、揺動自在な第一の布押え８が段部の下段側に下がるように傾斜して、被縫製物１００の段部に合致してこの被縫製物１００を確実に押圧することができる。
すなわち、第一の布押え８を揺動自在としなかった場合に、上述のように第一の布押え８の前部が上段部に乗り上げることで第一の布押え８の後部が被縫製物の下段部上に浮いた状態になってしまったのに対して、第一の布押え８を揺動自在とすることにより、第一の布押え８の後部が斜めに傾斜することで、第一の布押え８の後部が浮いた状態とならずに、被縫製物の下段側を押さえた状態となる。
したがって、第一の布押え８の一部が段部の上段部に乗り上げた状態となった場合に、第一の布押え８が斜めになって、段部の上段部と下段部とを押え、第二の布押え２８が下方に突出して被縫製物１００の下段部側を押さえることになる。これにより、ボタン穴かがり縫いが行われる被縫製物の下段部側を両方の布押え分割体（第一の布押え８及び第二の布押え２８）により押さえられることになり、より確実に段部を有する被縫製物を押さえることができる。
【００４０】
次に、図８に示すように、被縫製物１００が第二の布押え２８側（後側）に段部を有する場合の、布押え装置の動作を説明する。
押え腕９の先端部９ｂが下降することにより、第二の布押え２８が被縫製物１００の段部の上段部に当接する。この際、第二の布押え２８は第一の布押え８（押え腕９）に対して上下動可能であるため、押え腕９をさらに下降することができる。そして、押え腕９をさらに下降することにより、第一の布押え８は被縫製物１００の下段部を押圧することができる。また、第二の布押え２８は下方に付勢されているため、被縫製物１００の段部の上段部を押圧することができる。すなわち、布押えが第一の布押え８と第二の布押え２８とに分割されており、第二の布押え２８は上下動可能であり、かつ、常時下方に付勢しているため、第一の布押え８が下段部を押圧するとともに、第二の布押え２８が上段部を押圧することができる。これにより、被縫製物１００を安定的に、確実に押圧把持することができる。
【００４１】
次に、図８に示すように、揺動しないものとされた第二の布押え２８の後部から中央部にかけての部分が被縫製物の上段部を押圧した際に、第二の布押え２８の前部が被縫製物の下段部上（段差の近傍上）に浮いた状態となってしまい、段差の近傍を押さえられない。しかし、第一の布押え８の突出部８ｂ（８ｃ）と第二の布押え２８の突出部２８ｂ（２８ｃ）とが左右に重複するように設けられているため、第一の布押え８の突出部８ｃ（８ｂ）が段差近傍を押圧することができる。
【００４２】
そして、以上の各動作のように被縫製物１００を押圧保持して、被縫製物１００にボタン穴かがり縫いを行うとともに、布切りメスによりボタン穴を切り込む。この際には、被縫製物１００を第一の布押え８と第二の布押え２８とにより確実に押圧しているため、縫製時に被縫製物１００が浮き上がることがなくなり、これにより、目飛、糸切れが生じることがなくなる。
【００４３】
そして、被縫製物１００を縫製終了後、押え腕９の先端部９ｂを上昇させることにより被縫製物１００の第一及び第二の布押え８、２８による押圧を解除する。図９は、この際のレバー１９等の作用を示したものである。押え腕９の先端部９ｂの上昇とともにレバー１９が上昇する。このレバー１９が上昇した際、レバー１９の端部のカムフォロアー１９ｃが押上カム板２２に当接する。さらに、押え腕９の先端部９ｂを上昇するとカムフォロアー１９ｃが押上カム板２２の縁に沿って当接しつつ移動する。これにより、レバー１９が従動し、レバー１９の爪１９ｂが上方に移動し、そして、この爪１９ｂが係止している第二の押え足１３を上昇させる。つまり、第二の押え足１３は押え腕９の上昇量より多く上昇することになる。したがって、レバー１９により第二の押え足１３を上昇させるとともに、第二の布押え２８が第一の布押え８の高さに対応する位置に上昇することができる。
すなわち、押え腕９の先端部を上昇させ、被縫製物１００を押圧状態から解除した際、第一の布押え８と第二の布押え２８とが上昇することにより、第一の布押え８が被縫製物を押圧した状態から上方に移動することになる。この際に、上下動自在な第二の布押え２８が下方に付勢されていることから、第一の布押え８に対して第二の布押え２８が下方に突出した状態となってしまうが、第二の布押え２８が上記上昇手段により上昇させられるため、第二の布押え２８が下方に突出することがなくなる。
これにより、第二の布押え２８が下方に突出して、被縫製物の交換等の作業の邪魔になるのを防止することができる。
【００４４】
このように、上記実施の形態のボタン穴かがりミシンの布押え装置によれば、布押えが第一の布押え８と第二の布押え２８とに分割されているため、被縫製物の縫製を行う部分の近傍に段部がある場合に、被縫製物の段部の位置によらず、より安定的にかつ確実に被縫製物を押圧把持することができる。また、したがって、目飛、糸切れが生じることなくボタン穴かがり縫いを行うことができ、それゆえ、被縫製物の商品価値の低下を防ぐことができる。
【００４５】
なお、以上の実施の形態例においては、第二の布押え２８を上下動自在としたが、本発明はこれに限定されるものではなく、第一の布押え８を上下動自在としても良く、第一の布押え８及び第二の布押え２８の両方を上下動自在としても良い。しかし、上記の実施例のように、第二の布押え２８だけを上下動自在にし、かつ、第二の布押え２８を下方に付勢することにより、両方の布押えを上下動自在にした場合よりも、簡単な構成で段部を有する被縫製物の上段部と下段部とを別々に押圧することができる。
また、布押えを第一の布押え８と第二の布押え２８とに二分割されているが、さらに三分割以上としても良い。
また、具体的な細部構造等についても適宜に変更可能であることは勿論であり、上記の実施の形態例に限定されるものではない。
【００４６】
【発明の効果】
以上のように、請求項１記載の発明に係るボタン穴かがりミシンの布押え装置によれば、上記布押え分割体が互いに相対的に上下動自在とされるとともに、上記分割体がそれぞれ独立して被縫製物を下方に押圧するため、ボタン穴かがり縫い位置の近傍に段部を有する被縫製物であっても、一方の布押え分割体が段部の上段部（段部の上側）を押圧し、他方の布押え分割体が段部の下段部（段部の下側で縫製が行われる部分）を別々に押圧することができ、または、一方の布押え分割体が段部の下段部を押圧し、他方の布押え分割体が段部の上段部を別々に押圧することができる。したがって、段部を有する被縫製物を段部に対応して確実に保持することができる。これにより、穴かがり範囲の近くを確実に押圧することができ、目飛、糸切れが生じることがなくなり、それゆえ、被縫製物に見栄えの良いボタン穴かがり縫いを行うことができる。
【００４７】
また、布送り方向の前側の布押え分割体と、後側の布押え分割体とが左右に重複するように設けられているため、段部を有する被縫製物であっても、左右の重複部によって、段差のより近傍を押圧することができる。
したがって、穴かがり範囲の近くを確実に押圧することができ、それゆえ、目飛、糸切れが生じることがなくなり、被縫製物に見栄えの良いボタン穴かがり縫いを行うことができる。
【００４８】
また、請求項２、３記載の発明に係るボタン穴かがりミシンの布押え装置によれば、一方の布押え分割体を他方の布押え分割体に対して上下動自在とすることにより、二つの布押え分割体を、両方とも、押え腕もしくは押え足に対して上下動自在としなくとも、布押え分割体同士を互いに相対的に上下動自在とすることができる。すなわち、より簡単な構成で、布押え分割体同士を互いに相対的に上下動自在とすることができる。
また、上下動自在な一方の布押え分割体だけを常時下方に付勢された構成とするだけで、両方の布押え分割体がそれぞれ独立して被縫製物を押圧可能な構成とすることができる。従って、極めて簡単な構成で請求項１記載の構成と同様の優れた作用効果を奏することができる。
したがって、穴かがり範囲の近くを確実に押圧することができ、それゆえ、目飛、糸切れが生じることがなくなり、被縫製物に見栄えの良いボタン穴かがり縫いを行うことができる。
【００４９】
また、請求項４記載の発明に係るボタン穴かがりミシンの布押え装置によれば、他方の布押え分割体が揺動自在に設けられていることにより、他方の布押え分割体が段部を有する被縫製物の上段部を押圧した場合に、布押え分割体が段部の上段部から下段部に傾斜して被縫製物の段部に合致してこの被縫製物を確実に押圧することができる。
これにより、穴がかり範囲の近くを確実に押圧することができ、それゆえ、目飛、糸切れが生じることがなくなり、被縫製物に見栄えの良いボタン穴かがり縫いを行うことができる。
【００５０】
また、請求項５記載の発明に係るボタン穴かがりミシンの布押え装置によれば、押え腕を上げた際に、上下動自在でかつ下方に付勢された一方の布押え分割体が他方の布押え分割体に対して下方に突出した状態となってしまうのを上記上昇手段により防止することができる。
これにより、一方の布押え分割体が下方に突出して、被縫製物の交換等の作業の邪魔になるのを防止することができる。したがって、ボタン穴かがり縫いの生産性が向上する。
【図面の簡単な説明】
【図１】本発明を適用した一例としてのボタン穴かがりミシンの布押え装置を示した側面図である。
【図２】上記のボタン穴かがりミシンの布押え装置を示す要部平面図である。
【図３】上記のボタン穴かがりミシンの布押え装置を示す要部正面図である。
【図４】上記のボタン穴かがりミシンの布押え装置を示す要部断面図である。
【図５】上記のボタン穴かがりミシンの布押え装置の第一の布押え及び第二の布押えを示す平面図である。
【図６】上記のボタン穴かがりミシンの布押え装置の動作を説明するための布押え装置の要部側面図である。
【図７】上記のボタン穴かがりミシンの布押え装置の動作を説明するための布押え装置の要部側面図である。
【図８】上記のボタン穴かがりミシンの布押え装置の動作を説明するための布押え装置の要部側面図である。
【図９】上記のボタン穴かがりミシンの布押え装置の動作を説明するための布押え装置の要部側面図である。
【図１０】従来の布押え装置の主要部を示した斜視図である。
【図１１】上記の従来の布押え装置の動作を説明するための布押え装置の側面図である。
【符号の説明】
２        第一の押え足
８        第一の布押え（布押え分割体）
９        押え腕
１３        第二の押え足
１８        押え足ばね
１９        レバー（上昇手段）
１９ｃ      カムフォロアー（上昇手段）
２１        引張ばね（上昇手段）
２２        押上カム板（上昇手段）
２８        第二の布押え（布押え分割体）
【図１】
0004234274.tif 000002
【図２】
0004234274.tif 000003
【図３】
0004234274.tif 000004
【図４】
0004234274.tif 000005
【図５】
0004234274.tif 000006
【図６】
0004234274.tif 000007
【図７】
0004234274.tif 000008
【図８】
0004234274.tif 000009
【図９】
0004234274.tif 000010
【図１０】
0004234274.tif 000011
【図１１】
0004234274.tif 000012